(57)【要約】【課題】電柱その他のポールを利用することにより取り付け場所の確保を容易にするとともに、取水開口の大きさの割に貯水量が多いポール用貯水装置を提供する。【解決手段】水位調節装置と２つの容器本体２と化粧板と防塵用メッシュカバーと送水パイプ５と送水用バルブ６とを有する。各容器本体２は互いに間にポールＡを挟んで結合してポールＡに固定可能である。容器本体２は上端に取水開口を有し下端に送水孔４５を有する。容器本体２は化粧板により外側面を覆われている。防塵用メッシュカバーは取水開口を覆っている。容器本体２の外側面全体には断熱材が設けられている。送水パイプ５は送水孔４５に接続されている。送水用バルブ６は送水パイプ５に設けられている。送水パイプ５にはフィルター４７が設けられている。【選択図】図７
2004008020.tif 000002
【特許請求の範囲】
【請求項１】
２つの容器本体を有し、各容器本体は互いに間にポールを挟んで結合してポールに固定可能であって、上端に取水開口を有し、下端に送水孔を有することを、特徴とするポール用貯水装置。
【請求項２】
前記容器本体は外側面の少なくとも一部が断熱材で覆われており、ポールに固定したとき縁部がポールに密着する上端面を有し、前記取水開口を覆う防塵用メッシュカバーを有し、前記送水孔に送水パイプが接続され、前記送水パイプに送水用バルブが設けられていることを、特徴とする請求項１記載のポール用貯水装置。
【請求項３】
水位調節装置を有し、前記水位調節装置はケースと、第１浮きと、第２浮きとを有し、
前記ケースは側面および上面が気密的に閉じ底面が開放しており、注水口および通気孔を有し、側面下部に通気口を有し、前記送水パイプは前記注水口に接続され、
前記第１浮きは通気用栓を有して水への浮力および自重により上下運動可能に前記ケースの上部に設けられ、前記ケース内の水位が所定の第１水位を越えたとき前記通気用栓が前記通気孔を開き、前記第１水位以下のとき前記通気用栓が前記通気孔を閉じる構成を有し、
前記第２浮きは注水用栓を有して水への浮力および自重により上下運動可能に前記ケースの内部に設けられ、前記ケース内の水位が前記第１水位より高い所定の第２水位を越えたとき前記注水用栓は前記注水口を塞ぎ、前記ケース内が減圧状態のとき前記注水用栓は前記注水口を塞いだ状態を維持し、水位が前記通気口を大気に連通させる状態のとき前記注水用栓が前記注水口を開く構成を有することを、
特徴とする請求項２記載のポール用貯水装置。
【請求項４】
前記ケースは、側面に前記注水口を有し、上面に前記通気孔を有し、
前記第１浮きは前記ケースの上部に上下方向に揺動可能に設けられ、
前記第２浮きは前記ケースの内部に上下方向に揺動可能に設けられていることを、
特徴とする請求項３記載のポール用貯水装置。
【発明の詳細な説明】
【０００１】
【発明の属する技術分野】
本発明は、電柱その他のポールに取り付けて使用される、植物の栽培に適したポール用貯水装置に関する。
【０００２】
【従来の技術】
従来の貯水装置として、高所に取り付けて雨水を貯め、送水パイプで下方の植木などに給水するものが知られている。
【０００３】
【発明が解決しようとする課題】
しかしながら、従来の貯水装置は、取り付け場所の確保が難しいという課題があった。また、従来の貯水装置は、単に取水開口で受けた雨水を貯水するようになっているため、取水開口を大きくしないと十分な量の水を貯水できないという課題があった。
【０００４】
本発明は、このような従来の課題に着目してなされたもので、電柱その他のポールを利用することにより取り付け場所の確保を容易にするとともに、取水開口の大きさの割に貯水量が多いポール用貯水装置を提供することを目的としている。
【０００５】
【課題を解決するための手段】
上記目的を達成するために、本発明に係るポール用貯水装置は、２つの容器本体を有し、各容器本体は互いに間にポールを挟んで結合してポールに固定可能であって、上端に取水開口を有し、下端に送水孔を有することを、特徴とする。
【０００６】
本発明に係るポール用貯水装置は、２つの容器本体の間に電柱その他のポールを挟んで各容器本体を結合しポールに固定して使用する。電柱その他のポールを取り付け場所に利用することにより取り付け場所の確保を容易にすることができる。雨水は、取水開口から直接、容器本体の内部に入り、貯水される。さらに、ポールの容器本体より上方に当たった雨水の一部が、跳ね返って取水開口から容器本体の内部に入る。このため、取水開口の大きさの割に貯水量が多く、取水開口を大きくせずに貯水量を増やすことができる。
【０００７】
本発明に係るポール用貯水装置では、前記容器本体は外側面の少なくとも一部が断熱材で覆われており、ポールに固定したとき縁部がポールに密着する上端面を有し、前記取水開口を覆う防塵用メッシュカバーを有し、前記送水孔に送水パイプが接続され、前記送水パイプに送水用バルブが設けられていることが好ましい。
【０００８】
この場合、本発明に係るポール用貯水装置は、外側面の少なくとも一部が断熱材で覆われているため、夏などの日差しが強いときに、容器本体の内部の水が暖められて植物の生育に適さない温度になるのを防ぐことができる。また、容器本体をポールに固定したとき、上端面の縁部がポールに密着しているため、ポールの容器本体より上方に当たった雨水の多くが、ポールを伝って上端面に流れ、取水開口から容器本体の内部に入る。これにより、取水開口の大きさの割に貯水量が多く、取水開口を大きくせずに貯水量を増やすことができる。さらに、取水開口を覆う防塵用メッシュカバーを有するため、容器本体の内部に虫やゴミなどが入って送水孔を詰まらせるのを防止することができる。また、送水用バルブにより送水パイプの送水量を調節することができる。
【０００９】
本発明に係るポール用貯水装置は、水位調節装置を有し、前記水位調節装置はケースと、第１浮きと、第２浮きとを有し、前記ケースは側面および上面が気密的に閉じ底面が開放しており、注水口および通気孔を有し、側面下部に通気口を有し、前記送水パイプは前記注水口に接続され、前記第１浮きは通気用栓を有して水への浮力および自重により上下運動可能に前記ケースの上部に設けられ、前記ケース内の水位が所定の第１水位を越えたとき前記通気用栓が前記通気孔を開き、前記第１水位以下のとき前記通気用栓が前記通気孔を閉じる構成を有し、前記第２浮きは注水用栓を有して水への浮力および自重により上下運動可能に前記ケースの内部に設けられ、前記ケース内の水位が前記第１水位より高い所定の第２水位を越えたとき前記注水用栓は前記注水口を塞ぎ、前記ケース内が減圧状態のとき前記注水用栓は前記注水口を塞いだ状態を維持し、水位が前記通気口を大気に連通させる状態のとき前記注水用栓が前記注水口を開く構成を有することが好ましい。
【００１０】
この場合、本発明に係るポール用貯水装置は、ポールの容器本体より低い位置に取り付けた水受け器などの内側底部に水位調節装置を設置して使用する。水受け器の上には、プランターなどを設置する。水受け器の内部に水がない状態では、第２浮きが自重で下降しており、注水用栓が注水口を開いている。このため、注水口からケースの内部に水が注入され、水受け器に水が溜まる。ケース内の水位が上昇するとともに、第２浮きは浮力で上昇する。水位が所定の第１水位を越えたとき、第１浮きが浮力で上昇し、通気用栓がケースの通気孔を開く。このため、ケース内に水が入りやすくなる。水位が所定の第２水位を越えたとき、第２浮きの注水用栓が注水口を塞ぎ、注水口から水受け器への水の注入が止まる。
【００１１】
植物による水の吸収および蒸発により水受け器内の水は減少し、ケース内の水位は次第に下がってくる。水位が所定の第１水位以下になると、第１浮きは自重で下降し、通気用栓がケースの通気孔を閉じる。このため、ケース内の水位が下がっても、ケース内が減圧状態となって第２浮きは自重で下降することなく、注水用栓が注水口を塞いだ状態を維持する。水位がさらに下がって通気口を大気に連通させる状態になると、第２浮きは自重で下降して注水用栓が注水口を開く。これにより、再び、注水口からケースの内部に水が注入され、水受け器に水が溜まる。こうして、水位調節を行うことができる。
この水位調節装置は、ケースと第１浮きと第２浮きとから簡単に構成することができるため、装置の小型化を図ることができる。
【００１２】
本発明に係るポール用貯水装置では、前記ケースは、側面に前記注水口を有し、上面に前記通気孔を有し、前記第１浮きは前記ケースの上部に上下方向に揺動可能に設けられ、前記第２浮きは前記ケースの内部に上下方向に揺動可能に設けられていることが好ましい。
【００１３】
【発明の実施の形態】
以下、図面に基づき、本発明の実施の形態について説明する。
図１乃至図１３は、本発明の実施の形態を示している。
図１乃至図６に示すように、ポール用貯水装置が、水位調節装置１と、２つの容器本体２，２と、化粧板３と、防塵用メッシュカバー４と、送水パイプ５と、送水用バルブ６とを有している。ポール用貯水装置は、自動の給配水装置として機能する。
【００１４】
容器本体２は、水を貯められる器である。図７および図８に示すように、各容器本体２は、互いに間にポールＡを挟んで結合してポールＡに固定可能となっている。各容器本体２は、互いに結合させたとき円筒状になり、内側にポールＡの側面形状に適合する凹部４１を有している。各容器本体２の外側面には、縁部４２が突出して設けられている。縁部４２には、長さ方向に沿って複数の取付孔４２ａが設けられている。各容器本体２は、取付孔４２ａでビス止めにより着脱可能に結合されている。ポールＡには、容器本体２の下側に、容器本体２が落ちるのを防止するための落下防止リング４３が固定されている。図９に示すように、落下防止リング４３は、２つの部材に分けられ、各部材をビスで着脱可能に結合して成る。
【００１５】
容器本体２は、上端に取水開口４４を有し、下端に送水孔４５を有する。容器本体２は、図１０に示す化粧板３により外側の側面を覆われている。化粧板３には、ポールＡと同系色の塗装がなされている。化粧板３には、図柄を描いたり彫刻したりして美観を高めてもよい。容器本体２の外側の側面全体には、断熱材が設けられている。このため、夏などの日差しが強いときに、容器本体２の内部の水が暖められて植物の生育に適さない温度になるのを防ぐことができる。防塵用メッシュカバー４は、銅線のメッシュから成り、取水開口４４を覆っている。防塵用メッシュカバー４により、容器本体２の内部に虫やゴミなどが入って送水孔４５を詰まらせるのを防止することができる。
【００１６】
容器本体２の外側面には、貯水量を確認できる水位計４６が固定されている。水位計４６は、クリアチューブから成り、水位を目視できるようになっている。送水パイプ５は、送水孔４５に接続されている。送水用バルブ６は、送水パイプ５に設けられている。送水用バルブ６により送水パイプ５の送水量を調節することができる。送水パイプ５には、フィルター４７が設けられている。
【００１７】
水位調節装置１は、ケース１０と、第１浮き２０と、第２浮き３０とを有する。ケース１０は、函状部分１１とレバー収容部分１２とから一体的に成って、側面１３および上面１４が気密的に閉じ底面１５が開放している。図５に示すように、レバー収容部分１２は、函状部分１１より細く段差をなして低くなっている。ケース１０は、レバー収容部分１２の端部側面に注水口１６を有している。水位調節装置１の注水口１６は、送水パイプ５に接続される。送水パイプ５は、留め具により注水口１６にしっかりと取り付けられる。ケース１０は、函状部分１１の上面１４に通気孔１７を有している。図１乃至図３に示すように、ケース１０は、レバー収容部分１２の側面下部に設置箇所に沿って伸びる通気口１８を有している。通気口１８の高さは、好適には２〜３ｍｍである。ケース１０は下部に突出部１９を有し、突出部１９にはビス固定用の孔が形成されている。
【００１８】
第１浮き２０は、レバー２１と浮き部２２とから一体的に成っている。レバー２１は、一端が函状部分１１の上部の突出部に軸部２３で回転可能に取り付けられている。レバー２１は、下側の通気孔１７に対応する位置に通気用栓２４を有している。通気用栓２４は、柔軟性の部材から成っている。浮き部２２は、レバー２１の他端に設けられ、レバー収容部分１２の上側に載るようになっている。浮き部２２の内部には重り２５が設けられており、第１浮き２０は第２浮き３０より重くなっている。第１浮き２０は、浮き部２２の水への浮力および自重により軸部２３を中心として上下方向に揺動可能となっている。このように、第１浮き２０は、ケース１０内の水位が所定の第１水位Ｗ１（図３参照）を越えたとき浮き部２２が浮力で上昇して通気用栓２４が通気孔１７を開き、第１水位Ｗ１以下のとき通気用栓２４が通気孔１７を閉じる構成となっている。
【００１９】
第２浮き３０は、レバー３１と浮き部３２とから一体的に成っている。レバー３１は、一端付近の下部がレバー収容部分１２の内側側面下部に軸部３３で回転可能に取り付けられている。レバー３１は、注水口１６に対応するよう一端に注水用栓３４を有している。注水用栓３４は、柔軟性の部材から成っている。浮き部３２は、レバー３１の他端に設けられ、函状部分１１の内側に収容されている。レバー３１および浮き部３２は、側面および上面３５が気密的に閉じ底面３６が開放している。第２浮き３０は、浮き部３２の水への浮力および自重により軸部３３を中心として上下方向に揺動可能となっている。第２浮き３０は、ケース１０内の水位が第１水位Ｗ１（図３参照）より高い所定の第２水位Ｗ２（図２参照）を越えたとき浮き部２２が浮力で上昇して注水用栓３４が注水口１６を塞ぎ、ケース１０内が減圧状態のとき注水用栓３４が注水口１６を塞いだ状態を維持し、水位が通気口１８を大気に連通させる状態のとき注水用栓３４が注水口１６を開く構成となっている。
【００２０】
図１１に示すように、ポール用貯水装置は、２つの容器本体２，２の間に電柱その他のポールＡを挟んで各容器本体２をビスで結合しポールＡに固定して使用する。電柱その他のポールＡを取り付け場所に利用することにより取り付け場所の確保を容易にすることができる。容器本体２は、ポールＡに固定したとき、上端の内縁部がポールＡに密着する。雨水は、取水開口４４から直接、容器本体２の内部に入り、貯水される。さらに、ポールＡの容器本体２より上方に当たった雨水の一部が、跳ね返って取水開口４４から容器本体２の内部に入る。また、容器本体２をポールＡに固定したとき上端の内縁部がポールＡに密着しているため、ポールＡの容器本体２より上方に当たった雨水の多くが、ポールＡを伝って容器本体２の上端の縁部に流れ、取水開口４４から容器本体２の内部に入る。このため、取水開口４４の大きさの割に貯水量が多く、取水開口４４を大きくせずに貯水量を増やすことができる。なお、容器本体２には、雨水を貯めるほか、雨量が少ない場合に備えて、水道または他の貯水タンクから伸びる給水パイプを接続してもよい。
【００２１】
容器本体２の内部に貯まった水は、送水用バルブ６が開いてあるとき、送水孔４５から送水パイプ５を通って水位調節装置１に供給される。水位調節装置１に供給される水は、フィルター４７でろ過される。ポール用貯水装置は、ポールＡの容器本体２より低い位置に水受け器を取り付けておき、水受け器の内側底部に水位調節装置１を設置して使用する。水受け器の上には、プランターなどを設置する。
【００２２】
水位調節装置１は、以下のように作用する。水位調節装置１は、容器本体２の内部に水がない状態では、第２浮き３０が自重で下降しており、注水用栓３４が注水口１６を開いている。このため、送水パイプ５を通して注水口１６からケース１０の内部に水が注入され、容器本体２に水が溜まる。ケース１０内の水位が上昇するとともに、第２浮き３０は浮力で上昇する。しかしながら、通気孔１７が通気用栓２４で閉じられているため、ケース１０の内側の空気は抜け出ることができない。このため、第２浮き３０は、完全には上昇せず、注水用栓３４は注水口１６を塞ぐことができない。
【００２３】
水位が所定の第１水位Ｗ１を越えたとき、第２浮き３０に少し遅れて第１浮き２０が浮力で上昇し、通気用栓２４がケース１０の通気孔１７を開く。このため、ケース１０内から通気孔１７を通して圧力が高められていた空気が抜け出て、ケース１０内に水が入りやすくなる。ケース１０内の水は、プランターの中の土にしみ込み、プランターの中の植物により利用される。
【００２４】
水位の上昇に伴い、第２浮き３０はさらに上昇する。水位が所定の第２水位Ｗ２を越えたとき、第２浮き３０はケース１０の函状部分１１の天井面に当たり、上昇が止まる。このとき、第２浮き３０の注水用栓３４が注水口１６を塞ぎ、注水口１６から水受け器への水の注入が止まる。
【００２５】
植物による水の吸収・蒸散、植物の根部と接している土の毛細管現象および蒸発により、注水の止まった容器本体２内の水は減少し、ケース１０内の水位は次第に下がってくる。水位が所定の第１水位Ｗ１以下になると、第１浮き２０は自重で下降してレバー収容部の上に載り、通気用栓２４がケース１０の通気孔１７を閉じる。このため、ケース１０内の水位が下がっても、ケース１０内が減圧状態となって第２浮き３０は自重で下降することなく、注水用栓３４が注水口１６を塞いだ状態を維持する。水位は、さらに下がって通気口１８に達する。このとき、水位は、容器本体２の底から２〜３ｍｍの高さしかない。こうして、通気口１８を大気に連通させる状態になると、通気口１８からケース１０内に一気に空気が入り込み、第２浮き３０は自重で下降して注水用栓３４が注水口１６を開く。これにより、再び、注水口１６からケース１０の内部に水が注入され、容器本体２に水が溜まる。このように以上の動作を繰り返すことにより、水位調節を行うことができる。
【００２６】
この水位の上下の繰り返しは、植物の生育条件にとって理想的なことといえる。土に水および空気の供給が間断なく繰り返され、微生物が活性化し、有機物を分解させる。これにより、栽培された野菜は味が良くなり、植物はルーピングを起こすことがなく、水ストレスを繰り返すこともない。このため、植物は、理想的な生長を繰り返すことになる。植物は、根が必要以上に伸びなくとも成長可能なため、従来の植木鉢より小さい植木鉢でも栽培可能となる。
【００２７】
この水位調節装置１は、ケース１０と第１浮き２０と第２浮き３０とから簡単に構成することができるため、装置の小型化を図ることができる。水位調節装置１は、重力を用いており、動力を使用しないため、故障しない限り水位調節を続けることができる。水位調節装置１を利用したポール用貯水装置により、植物の水管理が容易になり、植物の無人管理が可能となる。このため、ポール用貯水装置により、電柱などのポールの緑化が容易となり、環境美化を図ることができる。
【００２８】
なお、図１２および図１３に示すように、ポール用貯水装置は、外側面の横断面が円形状の容器本体２の代わりに、長円状の容器本体７を有していてもよい。容器本体７は、水を貯められる器である。各容器本体７は、互いに間にポールＡを挟んで結合してポールＡに固定可能となっている。各容器本体７は、互いに結合させたとき長円筒状になり、内側にポールＡの側面形状に適合する凹部５１を有している。各容器本体７は、ビス止めにより着脱可能に結合されている。ポールＡには、容器本体７の下側に、容器本体７が落ちるのを防止するための落下防止リング５２が固定されている。
【００２９】
容器本体７は、上端に取水開口５３を有し、下端に送水孔５４を有する。容器本体７の上端面５５は、容器本体７をポールＡに固定したとき内縁部がポールＡに密着する。内縁部には、図１２に示すように、リング状にポールＡに密着するゴム状の傾斜部材５６が取り付けられている。傾斜部材５６は、ポールＡ側の縁が高くなるよう傾斜している。傾斜部材５６により、ポールＡをつたう雨水を取水開口５３に取り込むことができる。防塵用メッシュカバー８は、銅線のメッシュから成り、取水開口５３を覆っている。防塵用メッシュカバー８により、容器本体７の内部に虫やゴミなどが入って送水孔５４を詰まらせるのを防止することができる。容器本体７の外側面全体には、断熱材９が設けられている。このため、夏などの日差しが強いときに、容器本体７の内部の水が暖められて植物の生育に適さない温度になるのを防ぐことができる。
【００３０】
送水パイプ５は、送水孔５４に接続されている。送水用バルブ６は、送水パイプ５に設けられている。送水用バルブ６により送水パイプ５の送水量を調節することができる。送水パイプ５には、フィルター４７が設けられている。また、送水パイプ５には、ドレンコックが設けられている。
【００３１】
図１２および図１３に示す構成では、容器本体７をポールＡに固定したとき、上端面５５の内縁部がポールＡに密着しているため、ポールＡの容器本体７より上方に当たった雨水の多くが、ポールＡを伝って上端面５５に流れ、取水開口５３から容器本体７の内部に入る。また、雨水は、取水開口５３から直接、容器本体７の内部に入るとともに、容器本体７の上端面５５に当たり、取水開口５３へと流れて貯水される。これにより、取水開口５３の大きさの割に貯水量が多く、取水開口５３を大きくせずに貯水量を増やすことができる。なお、容器本体７の上端面５５は、ポールＡに密着する内縁部から取水開口５３にかけて下がるよう傾斜していることが好ましい。
【００３２】
【発明の効果】
本発明に係るポール用貯水装置によれば、電柱その他のポールを利用することにより取り付け場所の確保を容易にするとともに、取水開口の大きさの割に貯水量が多いポール用貯水装置を提供することができる。
【図面の簡単な説明】
【図１】本発明の実施の形態のポール用貯水装置で用いられる水位調節装置の注水状態を示す断面図である。
【図２】図１の水位調節装置の注水停止状態を示す断面図である。
【図３】図１の水位調節装置の注水直前の状態を示す断面図である。
【図４】図１の水位調節装置の斜視図である。
【図５】図１の水位調節装置の分解斜視図である。
【図６】図１の水位調節装置の分解断面図である。
【図７】本発明の実施の形態のポール用貯水装置の正面図である。
【図８】図７のポール用貯水装置の平面図である。
【図９】図７のポール用貯水装置の落下防止リングの底面図である。
【図１０】図７のポール用貯水装置の化粧板の斜視図である。
【図１１】図７のポール用貯水装置の使用状態を示す説明図である。
【図１２】本発明の実施の形態のポール用貯水装置の他の態様を示す正面図である。
【図１３】図１２のポール用貯水装置の平面図である。
【符号の説明】
１　水位調節装置
２　容器本体
３　化粧板
４　防塵用メッシュカバー
５　送水パイプ
６　送水用バルブ
１０　ケース
１６　注水口
１７　通気孔
１８　通気口
２０　第１浮き
２１　レバー
２２　浮き部
２４　通気用栓
３０　第２浮き
３１　レバー
３２　浮き部
３４　注水用栓
【図１】
2004008020.tif 000003
【図２】
2004008020.tif 000004
【図３】
2004008020.tif 000005
【図４】
2004008020.tif 000006
【図５】
2004008020.tif 000007
【図６】
2004008020.tif 000008
【図７】
2004008020.tif 000009
【図８】
2004008020.tif 000010
【図９】
2004008020.tif 000011
【図１０】
2004008020.tif 000012
【図１１】
2004008020.tif 000013
【図１２】
2004008020.tif 000014
【図１３】
2004008020.tif 000015